(57)【要約】【課題】組立時に、側板から内側へ折り曲げた内側板を簡単にロックできるようにする。【解決手段】隣り合う側板１１，１２を繋ぐ折込片１３が角部から延びる斜折線１４に沿って谷折りされ、側板１１から内側板１６が内側へ折り曲げられて、折込片１３が側板１１と内側板１６の間に挟まれる組立箱において、斜折線１４には、単線部１４ａから中間部分で分岐して離間する複線部１４ｂが設けられ、折込片１３には、斜折線１４の複線部１４ｂに臨んで押込穴１５が形成され、内側板１６には係合凸部１６ｂが設けられたものとする。これにより、斜折線１４の複線部１４ｂに臨む部分で折込片１３が立体構造となって、折込片１３の折曲部分の内部に空間が生じ、係合凸部１６ａを押込穴１５に押し込むだけで、内側板１６がロックされるものとなる。【選択図】図４
2018039529.tif 000002
【特許請求の範囲】
【請求項１】
隣り合う側板(11,12)が折込片(13)を介して繋がり、折込片(13)に角部から延びる斜折線(14)が入れられ、一方の側板(11)の先端に内側板(16)が連設され、折込片(13)が斜折線(14)に沿って谷折りされ、内側板(16)が内側へ折り曲げられて、折込片(13)が一方の側板(11)と内側板(16)の間に挟まれることにより、隣り合う側板(11,12)の起立状態が維持される組立箱において、
前記斜折線(14)には、単線部(14a)から中間部分で分岐して離間する複線部(14b)が設けられ、前記折込片(13)には、斜折線(14)の複線部(14b)に臨んで前記内側板(16)が重なる部分に押込穴(15)が形成され、内側板(16)には係合凸部(16a)が設けられ、
前記折込片(13)の斜折線(14)に沿った折り曲げに伴い、斜折線(14)の複線部(14b)に臨む部分で折込片(13)が立体構造となって、折込片(13)の折曲部分の内部に空間が生じ、前記内側板(16)の係合凸部(16a)が折込片(13)の押込穴(15)に押し込まれて、内側板(16)がロックされることを特徴とする組立箱。
【発明の詳細な説明】
【技術分野】
【０００１】
この発明は、使用時に手作業で簡単に組み立てられる組立箱に関するものである。
【背景技術】
【０００２】
下記特許文献１には、図６に示すように、底板５１の周囲に各一対の側板５２，５３が連設され、隣り合う側板５２，５３が折込片５４を介して繋がり、折込片５４に角部から延びる斜折線５５が入れられ、一対の側板５２の先端に内側板５６が、他対の側板５３の先端に蓋板５７がそれぞれ連設されたトレイ状の組立箱が記載されている。
【０００３】
この組立箱を組み立てる際には、斜折線５５に沿って折込片５４を谷折りしつつ、底板５１から各一対の側板５２，５３を起立させ、側板５２から内側板５６を内側へ折り曲げて、折込片５４を側板５２と内側板５６の間に挟み込むことにより、隣り合う側板５２，５３の起立状態を維持する。
【０００４】
また、この組立箱では、内側板５６の先端中央部から係止片５８が延出され、係止片５８の基部に２本の折目線５８ａが、中間部に１本の折目線５８ｂがそれぞれ入れられると共に、折込片５４に係止凸部５４ａが形成されている。
【０００５】
この組立箱の組み立てに際しては、係止片５８を折目線５８ａ，５８ｂに沿って巻き込むように折り曲げつつ、係止凸部５４ａと側板５２の間に差し込むことにより、内側板５６の反発による戻りを抑制し、内側板５６がロックされた状態とする。
【先行技術文献】
【特許文献】
【０００６】
【特許文献１】特開２００２−１９７６９号公報
【発明の概要】
【発明が解決しようとする課題】
【０００７】
しかしながら、上記のような組立箱では、内側板５６をロックする際、小さな係止片５８を折り曲げて係止凸部５４ａと側板５２の間に差し込まなければならず、菓子箱のようなサイズの小さい組立箱にこのようなロック構造を適用すると、組立時における内側板５６のロック作業が困難になるという問題がある。
【０００８】
そこで、この発明は、側板から内側へ折り曲げた内側板を簡単にロックできる組立箱を提供することを課題とする。
【課題を解決するための手段】
【０００９】
上記課題を解決するため、この発明は、隣り合う側板が折込片を介して繋がり、折込片に角部から延びる斜折線が入れられ、一方の側板の先端に内側板が連設され、折込片が斜折線に沿って谷折りされ、内側板が内側へ折り曲げられて、折込片が一方の側板と内側板の間に挟まれることにより、隣り合う側板の起立状態が維持される組立箱において、
前記斜折線には、単線部から中間部分で分岐して離間する複線部が設けられ、前記折込片には、斜折線の複線部に臨んで前記内側板が重なる部分に押込穴が形成され、内側板には係合凸部が設けられ、
前記折込片の斜折線に沿った折り曲げに伴い、斜折線の複線部に臨む部分で折込片が立体構造となって、折込片の折曲部分の内部に空間が生じ、前記内側板の係合凸部が折込片の押込穴に押し込まれて、内側板がロックされるようにしたのである。
【発明の効果】
【００１０】
この発明に係る組立箱では、組み立てに際し、斜折線の複線部の存在により、立体構造となった折込片の内部に空間が生じるため、側板から内側へ折り曲げた内側板の係合凸部を折込片の押込穴に簡単に押し込むことができ、その押し込みだけで、内側板の反発による戻りが抑制されるので、内側板を簡単にロックすることができる。
【図面の簡単な説明】
【００１１】
【図１】この発明の実施形態に係る組立箱の組立状態を示す斜視図
【図２】同上の組立過程を示す斜視図
【図３】同上の蓋部の内側板のロック過程を示す部分斜視図
【図４】同上の蓋部の内側板のロック状態を示す部分斜視図
【図５】同上の組立箱のブランクを示す図
【図６】特許文献１に記載の組立箱の組立過程を示す斜視図
【発明を実施するための形態】
【００１２】
以下、この発明の実施形態を添付図面に基づいて説明する。
【００１３】
この組立箱は、図５に示す段ボールのブランクを折り曲げて、図１に示すように、身箱部１と蓋部２が背面部３を介して連なった直方体に組み立てられる。
【００１４】
図５に示すブランクにおいて、身箱部１では、底板４の前方となる長辺に側板５が、両側の短辺に側板６がそれぞれ連設されている。側板５は、組立状態での高さが低いものであり、側板６の上方となる端縁は、側板５の高さに応じて前下がりとなっている。
【００１５】
側板５と両側の側板６は、折込片７を介して繋がり、折込片７には底板４側の角部から延びる斜折線８が入れられている。斜折線８は、折込片７の底板４側の角部を二分割するものであり、切目が断続するミシン目とされている。
【００１６】
側板５の先端側には、２本の折目線に挟まれた額縁部を介して内側板９が連設され、内側板９は、先端側の幅が広くなるテーパー状とされている。
【００１７】
蓋部２では、蓋板１０の前方となる長辺に側板１１が、両側の短辺に側板１２がそれぞれ連設されている。側板１１と両側の側板１２は、折込片１３を介して繋がれ、折込片１３には蓋板１０側の角部から延びる斜折線１４が入れられている。
【００１８】
斜折線１４は、折込片１３の蓋板１０側の角部を二分割するものであり、斜折線１４の蓋板１０寄りの部分と外角部寄りの部分は単線部１４ａとされ、中間部分は単線部１４ａから分岐して離間する複線部１４ｂとされている。
【００１９】
斜折線１４の単線部１４ａは、切目が断続するミシン目とされ、複線部１４ｂは、表面から押圧した押罫とされている。
【００２０】
また、折込片１３には、斜折線１４の複線部１４ｂに臨んで、側板１２寄りに押込穴１５を形成する切目線が入れられている。押込穴１５の切目線は、複線部１４ｂに並行する部分の両端部が複線部１４ｂから離れる方向へ曲がり、中央部に複線部１４ｂから離れる方向へ延びる切込部分を有する。
【００２１】
側板１１の先端には、２本の折目線に挟まれた額縁部を介して内側板１６が連設され、内側板１６の先端の両側部には係合凸部１６ａが突設されている。
【００２２】
背面部３では、背板１７の両側に側背片１８が連設され、側背片１８の端縁は中央側が深く切り込まれている。側背片１８には底板４及び蓋板１０側の角部から端縁の切込の中央部へかけて斜折線１９が入れられている。斜折線１９は、側背片１８の底板４及び蓋板１０側の角部を二分割するものであり、切目が断続するミシン目とされている。
【００２３】
また、身箱部１における側板６と折込片７の境界の罫線は、折込片７側へ湾曲した湾曲折目ａとされ、蓋部２における側板１２と折込片１３の境界の罫線は、折込片１３側へ湾曲した湾曲折目ｂとされている。さらに、身箱部１における底板４と側板５の境界の罫線の両端部は、側板５側へ迫り出すように湾曲した湾曲折目ｃとされている。
【００２４】
このブランクにおいて、身箱部１の底板４と蓋部２の蓋板１０は、背面部３の背板１７を介して繋がり、身箱部１の側板４と蓋部２の側板１２は、背面部３の側背片１８を介して繋がっている。
【００２５】
上記のようなブランクを組み立てるには、図２に示すように、一連となった側板５、底板４、背板１７、蓋板１０及び側板１１の両側からそれぞれ折込片７、側板６、側背片１８、側板１２及び折込片１３を一斉に起立させる。
【００２６】
次に、身箱部１において、折込片７を斜折線８に沿って表面側が窪むように谷折りしつつ、底板４から側板５を起立させ、側板５から内側板９を内側へ折り曲げ、折込片７を側板５と内側板９の間に挟み込んで、内側板９の両側縁を側板６の内面に圧接させることにより、内側板９の反発による戻りを抑制し、身箱部１を組立状態とする。
【００２７】
また、蓋部２において、図３に示すように、折込片１３を斜折線１４に沿って表面側が窪むように谷折りしつつ、蓋板１０から側板１１を起立させる。このとき、折込片１３の斜折線１４に沿った折り曲げに伴い、斜折線１４の複線部１４ｂに臨む部分で折込片１３が立体構造となり、折込片１３の折曲部分の内部に空間が生じる。
【００２８】
その後、図４に示すように、側板１１から内側板１６を内側へ折り曲げ、内側板１６の係合凸部１６ａを折込片１３の押込穴１５に押し込むと、内側板１６の反発による戻りが抑制され、内側板１６がロックされる。このとき、押込穴１５は、その切目線の形状により、内側板１６の係合凸部１６ａを誘導するように開口する。
【００２９】
上記のような組立箱では、組み立てに際し、斜折線１４の複線部１４ｂの存在により、立体構造となった折込片１３の内部に空間が生じるため、側板１１から内側へ折り曲げた内側板１６の係合凸部１６ａを折込片１３の押込穴１５に簡単に押し込むことができ、その押し込みだけで、内側板１６の反発による戻りが抑制されるので、内側板１６を簡単にロックすることができる。
【００３０】
また、押込穴１５に係合凸部１６ａを押し込む際、係合凸部１６ａが折込片１３の押込穴１５に臨む部分に押圧されて係合するので、内側板１６が短く、内側板１６の基部から先端部までの距離が反発の抑制のために十分に確保できない場合でも、内側板１６を確実にロックすることができる。
【００３１】
そして、図２に示す状態となった組立箱により、商品のケーキ等を包装する際には、身箱部１の底板４にケーキ等を載せ、図１に示すように、背面部３の側背片１８を斜折線１９に沿って表面側が窪むように谷折りしつつ、底板４から背板１７を起立させ、背板１７から蓋板１０を前方へ折り曲げて、側背片１８を背板１７の内面に折り重ね、身箱部１に蓋部２を被せると、ケーキ等が組立箱に覆われて包装が完了する。
【００３２】
このように包装すると、身箱部１の前部の湾曲折目ａ，ｃと蓋部２の前部の湾曲折目ｂにより、側板５と内側板１６が密着して、箱内が密閉性に優れた空間となるので、高温の外気の箱内への侵入を防止でき、ケーキ等と共に箱内に収納された保冷剤による保冷効果が高いものとなる。
【００３３】
なお、上記実施形態では、身箱部１と蓋部２が背面部３を介して連なった組立箱において、蓋部２の内側板１６に押込によるロック構造を適用した場合について例示したが、この発明に係るロック構造は、身箱部１の内側板９を固定するために適用することもでき、身箱部１のみからなるトレイ状の組立箱に適用することもできる。
【００３４】
また、上記実施形態では、内側板１６の先端に係合凸部１６ａを設けたものを例示したが、係合凸部１６は、内側板１６の中間部分の切込等により設けるようにしてもよい。
【符号の説明】
【００３５】
１  身箱部
２  蓋部
３  背面部
４  底板
５，６  側板
７  折込片
８  斜折線
９  内側板
１０  蓋板
１１，１２  側板
１３  折込片
１４  斜折線
１４ａ  単線部
１４ｂ  複線部
１５  押込穴
１６  内側板
１６ａ  係合凸部
１７  背板
１８  側背片
１９  斜折線
ａ，ｂ，ｃ  湾曲折目
【図１】
2018039529.tif 000003
【図２】
2018039529.tif 000004
【図３】
2018039529.tif 000005
【図４】
2018039529.tif 000006
【図５】
2018039529.tif 000007
【図６】
2018039529.tif 000008